(57)【特許請求の範囲】
【請求項１】
コミュニケーションデバイスのための変調器であって、
前記変調器は、
２つのコントロール記号を、データ記号に対して使用される所与の変調方式に係る信号配置図において互いに最長のユークリッド距離を隔てて配置される２つの信号配置点へマッピングし、または、４つのコントロール記号を、データ記号に対して使用される所与の変調方式に係る信号配置図において互いに最長のユークリッド距離を隔てて配置される４つの信号配置点へマッピングし、
前記変調器は、さらに、前記２つまたは４つのコントロール記号とデータ記号とを多重化する、
ことを特徴とする変調器。
【請求項２】
前記変調器は、前記２つの信号配置点の少なくとも一方におけるパワーに関する情報にも基づいて位置を選択するように構成されている、
請求項１記載の変調器。
【請求項３】
前記変調器は、コントロール記号に対して、最も高いパワーを有する位置を選択するように構成されている、
請求項２記載の変調器。
【請求項４】
前記変調器は、コントロール記号に対して、所定のパワー閾値を超えるパワーを有する位置を選択するように構成されている、
請求項２記載の変調器。
【請求項５】
前記コントロール記号は、第２のコミュニケーションデバイスからの伝送に対する、第１のコミュニケーションデバイスによる確認応答を含み、前記変調器は当該確認応答とデータ記号と多重化するように構成されている、
請求項１から４までのいずれか１項記載の変調器。
【請求項６】
前記変調器は、前記記号を時間多重化するように構成されている、
請求項１から５までのいずれか１項記載の変調器。
【請求項７】
前記変調器は、ダウンリンクＡＣＫ／ＮＡＣＫ記号をアップリンクデータ記号と多重化するように構成されている、
請求項１から６までのいずれか１項記載の変調器。
【請求項８】
直交振幅変調および位相偏移変調のうちの少なくとも１つのために構成されている、
請求項１から７までのいずれか１項記載の変調器。
【請求項９】
請求項１から８までのいずれか１項記載の変調器を含んでいる、
ことを特徴とするコミュニケーションシステムのための局。
【請求項１０】
ユーザーデバイスおよび基地局の１つを含んでいる、
請求項９記載の局。
【請求項１１】
前記局は、Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）用に構成されている、
請求項９または１０記載の局。
【請求項１２】
変調方法であって、
２つのコントロール記号を、データ記号に対して使用される所与の変調方式に係る信号配置図において互いに最長のユークリッド距離を隔てて配置される２つの信号配置点へマッピングするステップ、または、４つのコントロール記号を、データ記号に対して使用される所与の変調方式に係る信号配置図において互いに最長のユークリッド距離を隔てて配置される４つの信号配置点へマッピングするステップと、
前記２つまたは４つのコントロール記号とデータ記号とを多重化するステップと、
を含む、
ことを特徴とする変調方法。
【請求項１３】
前記２つの信号配置点の少なくとも一方のパワーに関する情報も考慮に入れて位置を選択するステップを含む、
請求項１２記載の方法。
【請求項１４】
前記コントロール記号に対して、最も高いパワーを有する位置を選択するステップを含む、
請求項１３記載の方法。
【請求項１５】
前記コントロール記号に対して、所定のパワー閾値を超えるパワーを有する位置を選択するステップを含む、
請求項１３記載の方法。
【請求項１６】
第１のコミュニケーションデバイスによって、第２のコミュニケーションデバイスからの伝送を受信するステップと、
前記第２のコミュニケーションデバイスからの伝送に対する、前記第１のコミュニケーションデバイスによる確認応答とデータ記号とを多重化するステップと、
を含む、
請求項１２から１５までのいずれか１項記載の方法。
【請求項１７】
前記記号を時間多重化するステップを含む、
請求項１２から１６までのいずれか１項記載の方法。
【請求項１８】
ダウンリンクＡＣＫ／ＮＡＣＫ記号をアップリンクデータ記号と多重化するステップを含む、
請求項１２から１７までのいずれか１項記載の方法。
【請求項１９】
コンピュータプログラムであって、
請求項１２から１８までのいずれか１項記載のいずれかのステップをプロセッサに実行させることを特徴とするコンピュータプログラム。
【請求項２０】
前記プロセッサは、コミュニケーションシステムの局のためのプロセッサである、
請求項１９記載のコンピュータプログラム。
【請求項２１】
コミュニケーションシステムであって、
当該コミュニケーションシステムは第１のコミュニケーションデバイスと第２のコミュニケーションデバイスとを含んでおり、
当該デバイスのうちの少なくとも１つは、
２つのコントロール記号を、データ記号に対して使用される所与の変調方式に係る信号配置図において互いに最長のユークリッド距離を隔てて配置される２つの信号配置点へマッピングし、または、４つのコントロール記号を、データ記号に対して使用される所与の変調方式に係る信号配置図において互いに最長のユークリッド距離を隔てて配置される４つの信号配置点へマッピングし、
前記２つまたは４つのコントロール記号とデータ記号とを多重化する、
ことを特徴とするコミュニケーションシステム。
【請求項２２】
前記コントロール記号は、前記第２のコミュニケーションデバイスからの伝送に対する、前記第１のコミュニケーションデバイスによる確認応答を含み、当該確認応答はデータ記号と多重化される、
請求項２１記載のコミュニケーションシステム。
【発明の詳細な説明】
【技術分野】
【０００１】
本発明は、データのコミュニケーションに関し、特に、コミュニケーションシステムの２つのエンティティの間のデータ伝送の変調に関する。
【０００２】
コミュニケーションシステムは、コミュニケーションデバイス、ネットワークエンティティおよび他のノード等の２つ以上のエンティティの間のコミュニケーションを容易にする機能である。コミュニケーションシステムを、もう１つのインターコネクトネットワークによって設けてもよい。コミュニケーションシステムは典型的に少なくとも１つのコミュニケーションネットワーク（例えば、固定された有線ネットワークまたは無線ネットワークまたはモバイルネットワーク）を含んでいるが、その最もシンプルな形態においては、コミュニケーションシステムは、相互にコミュニケーションする２つのエンティティによって構成される。このコミュニケーションは例えば、音声、電子メール（ｅｍａｉｌ）、テキストメッセージ、マルチメディア等のコミュニケーションを行うためのデータコミュニケーションを含んでいる。
【０００３】
ユーザーは、適切なコミュニケーションデバイスによってコミュニケーションを行う。適切なアクセスシステムによって、コミュニケーションデバイスは、コミュニケーションシステムにアクセスすることができる。コミュニケーションシステムへのアクセスは、固定された有線または無線コミュニケーションインターフェース、またはそれらの組み合わせによって行われる。無線アクセスシステムの例は、セルラーアクセスネットワーク、種々の無線ローカルエリアネットワーク（ＷＬＡＮｓ）、無線パーソナルエリアネットワーク（ＷＰＡＮｓ）、衛星ベースのコミュニケーションシステムおよびこれらの種々の組み合わせを含む。
【０００４】
コミュニケーションシステムは典型的に、規格および／または仕様とプロトコールのセットに関連して作動する。このプロトコールは、システムのどの部材が実行を許可され、どのようにそれが達成されるのかを設定する。例えば典型的には、ユーザー、またはより詳細にはユーザーデバイスに回路スイッチされるベアラまたはパケットスイッチされるベアラ、またはその両方が具備されるか否かが定められる。ユーザーデバイスと種々のコミュニケーション部材との間に実装されるべきコミュニケーション方法およびその種々のアスペクトおよびその機能および責任も典型的に、事前に定められたコミュニケーションプロトコールによって定められる。
【０００５】
ラジオまたは無線システムにおいて、基地局の形状のエンティティは、ユーザーコミュニケーションデバイスとのコミュニケーションのためのノードを提供する。これはしばしば移動局と称される。基地局からユーザーデバイスへの方向のコミュニケーションは、「ダウンリンク（ＤＬ）」上で生じていると見なされる。ユーザーデバイスから基地局への方向のコミュニケーションは、「アップリンク（ＤＬ）」上で生じていると見なされる。特定のシステムにおいて基地局は「ノードＢ」と称される。
【０００６】
種々のエンティティの間のシグナリングは、コントロールデータのシグナリングと実際のデータのシグナリングとに分けられる。後者は、ユーザーが通信を望むデータコンテンツに関連する。次にコントロールシグナリングは、ユーザーが通信を望むデータコンテンツに関連していない情報の伝送に関する。
【０００７】
システムの特定の作動を確実にするために、コントロールシグナリングはデータシグナリングよりも典型的に高い質の要求を有している。他方では、確認応答シグナリング等のコントロールシグナリングによって搬送される情報の量は、典型的に１または２ビットである。これは記号、例えば直交振幅変調（ＱＡＭ）記号であるデータ変調された記号によって搬送される情報量よりも少ない。例えば１６ＱＡＭは４ビットを搬送し、６４ＱＡＭは６ビットを搬送する。
【０００８】
コントロールシグナリングの例は、肯定および否定の確認応答情報シグナリングの伝送である。これはしばしばＡＣＫ／ＮＡＣＫシグナリングと称される。この確認応答信号は、事前に行われた伝送に関してフィードバックを与えるために用いられる。これは例えばデータパケット等の事前に行われたデータ伝送が正しく受信された場合である。
【０００９】
シグナリング技術のこのような利点にもかかわらず、例えばコントロール信号におけるエラーの低減にもかかわらず、２つのデバイス間のコミュニケーションのパフォーマンスを最適化する必要が依然として残っている。コントロールシグナリングおよびデータシグナリングに対する信号変調方法の使用が、種々のアプリケーションにおいて望まれている。
【００１０】
ここに記載する実施形態は、１つまたは幾つかの上述した欠点および／または所望に向けられている。
【００１１】
１つの実施形態では、コミュニケーションデバイスに対する変調が提示される。ここで
この変調はコントロール記号とデータ記号を伝送のために信号に多重化するように構成されている。これは、信号における記号位置の表示における少なくとも２つのコントロール記号の位置の間の距離の情報に基づいている。
【００１２】
別の実施形態では、変調方法が提供され、ここでこの変調方法は、信号における記号位置の表示における少なくとも２つのコントロール記号の位置の間の距離の情報に基づいて、コントロール記号をデータ記号と、伝送のために信号に多重化することを含んでいる。
【００１３】
さらに別の実施形態では、コミュニケーションシステムが提供される。このコミュニケーションシステムは第１のコミュニケーションデバイスと第２のコミュニケーションデバイスとを含んでいる。ここでこれらのデバイスのうちの少なくとも１つは、コントロール記号とデータ記号とを多重化するように構成されている。これは伝送のために、別のデバイスへの信号において行われ、第２のコミュニケーションデバイスからの、第１のコミュニケーションデバイスによる伝送を受信する信号における記号位置の表示における少なくとも２つのコントロール記号の位置の間の距離の情報に基づく。
【００１４】
より詳細な実施形態では、コントロール記号は、少なくとも１つのユークリッド距離に基づいて多重化される。少なくとも２つのコントロール記号は、それらの間の最も長い距離を有する位置または、そうでなければ少なくとも相互に所定の長さ離れて位置している位置にマッピングされる。
【００１５】
表示における少なくとも１つの位置上でのパワーに関する情報も利用される。最大のパワーを伴う位置が選択され、コントロール記号によって使用される。１つの実施形態では所定のパワー閾値を上回るパワーを有している位置が選択され、コントロール記号によって使用される。
【００１６】
コントロール記号は、第２のコミュニケーションデバイスからの伝送の、第１のコミュニケーションデバイスにする確認応答を含む。ここでこの確認応答は、第１のコミュニケーションデバイスからの伝送に対する記号に、データ記号とマルチプレックスされる。この確認応答はＡＣＫ／ＮＡＣＫ記号を含んでいてよい。
【００１７】
表示は信号空間図を含んでいてよい。変調は少なくとも１つの直交振幅変調および位相偏移変調を含んでいてよい。
【００１８】
計算はコンピュータプログラムによって行われる。このコンピュータプログラムは、プロセッサ上でのこのプログラムが作動する場合に、必要なステップを行うのに適したプログラムコード手段を含んでいる。プロセッサはコミュニケーションシステムの局であってよい。
【００１９】
本発明をよりよく理解し、同様のことを実行する方法をよりよく理解するために、例示されているに過ぎない添付図面を参照されたい。
【図面の簡単な説明】
【００２０】
【図１】本発明が体現されているコミュニケーションシステムの概略図
【図２】本発明に即したフローチャート
【図３】マッピングスキーム
【図４】図３に関連した値のテーブルの例
【図５】別のマッピングスキーム
【図６】図５に関連した値の表の例
【図７】図５に関連した値の表の例
【００２１】
幾つかの例示的な実施形態を詳細に説明する前に、基地局とコミュニケーションデバイス（例えば移動局）とを含んでいるシステムにおける無線コミュニケーションの特定の一般的な原理を、図１を参照して説明する。
【００２２】
例えばユーザーデバイスであるコミュニケーションデバイスは、コミュニケーションシステムを介して提供される種々のサービスおよび／またはアプリケーションにアクセスするために用いられる。ワイヤレスシステムまたはモバイルシステムでは、このようなアクセスは、ユーザーデバイス１と適切な無線アクセスシステムとの間のアクセスインタフェースを介して行われる。ユーザーデバイスは典型的には、無線で、少なくとも１つの基地局１０または同様の無線トランスミッターおよび／または受信器ノードを介して、コミュニケーションシステムにアクセスする。本願を制限するものではない、アクセスノードの例は、セルラーシステムの基地局および無線ローカルエリアネットワーク（ＷＬＡＮ）の基地局である。各ユーザーデバイスは１つまたは複数の無線チャネルを有している。これは同時に開放され、１つより多くの基地局に接続される。
【００２３】
基地局は別のシステム、例えばデータネットワークに接続される。基地局ノードと別のネットワークとの間のゲートウェイ機能は、あらゆる適切なゲートウェイノードによって提供される。これは例えばパケットデータゲートウェイおよび／またはアクセスゲートウェイである。
【００２４】
基地局は典型的に、少なくとも１つの適切なコントロールエンティティによってコントロールされる。このコントロールエンティティは、基地局の全般的な作動および基地局を介したコミュニケーションを管理するために提供される。コントロールエンティティには典型的に、メモリ容量と少なくとも１つのデータプロセッサが具備される。機能的なエンティティは、自身のデータ処理能力によってコントローラ内に提供される。基地局コントローラ内に設けられた機能エンティティは、無線リソースコントロール、アクセスコントロール、パケットデータコンテキストコントロール等に関する機能を提供する。
【００２５】
特定の実施形態は、例えば、長距離エボリューション（ＬＴＥ）無線局のアップリンク（ＵＬ）部分に対して、ＵＬデータとともにダウンリンク（ＤＬ）ＡＣＫ／ＮＡＣＫを伝送するために使用される。従って、本願を制限するものではない、図１の例は、ｌｏｎｇ
ｔｅｒｍ  ｅｖｏｌｕｔｉｏｎ（ＬＴＥ）として知られているコンセプトを示している。このシステムは進化した無線アクセスシステムを提供する。これは、パケットデータシステムに接続されている。このようなアクセスは例えば、Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）から知られている構造に基づいて提供され、Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）ノードＢ（ｅＮＢｓ）の使用に基づいている。Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）は、Ｅ−ＵＴＲＡＮノードＢ（ｅＮＢｓ）から成る。これらは、基地局およびコントロール機能を提供するように構成されている。例えばｅＮＢｓノードは、独立した無線アクセスネットワークフィーチャを提供することができる。これは例えば、ユーザーデバイスへ向けたＵプレーン無線リンクコントロール／媒体アクセスコントロール／物理層プロトコール（ＲＬＣ／ＭＡＣ／ＰＨＹ）およびコントロールプレーン無線リソースコントロール（ＲＲＣ）プロトコールターミネーションである。
【００２６】
図１は、可能なコミュニケーションシステムの例を示すためだけにこの構造を示している。ここで以下に記載されている実施形態が提供され、他の配置および構造も可能である。たとえば、ユーザーデバイスが異なるアクセスシステムとコミュニケーションを行ってもよい。
【００２７】
ユーザーデバイス１は、種々のタスクに対して使用可能である。これは例えば、電話通話の発信および受信、データネットワークからおよびデータネットワークへのデータの受信および送信、および例えばマルチメディアまたは他のコンテンツの体験である。例えば、ユーザーデバイスは、データネットワークを介して提供されたデータアプリケーションにアクセスすることができる。例えば、データネットワーク内に種々のアプリケーションが提供される。これはインターネットプロトコール（ＩＰ）またはあらゆるほかの適切なプロトコールに基づいている。適切なユーザーデバイスは、無線信号を送信および受信することができるあらゆるデバイスによって提供される。本願を制限するものではない例は、移動局（ＭＳ）、無線インターフェースカードまたは別の無線インタフェース機能が備えられたポータブルコンピュータ、無線コミュニケーション能力を備えたｐｅｒｓｏｎａｌ  ｄａｔａ  ａｓｓｉｓｔａｎｔ（ＰＤＡ）またはこれらのあらゆる組み合わせを含んでいる。
【００２８】
モバイルデバイスは、モバイルデバイスの適切な無線インタフェース構成を介してコミュニケーションを行う。インタフェース構成は例えば無線部分７および割り当てられたアンテナ構成を介して提供される。このアンテナ構成は、モバイルデバイスに対して内側または外側に配置される。
【００２９】
モバイルデバイスは典型的に、少なくとも１つのデータ処理エンティティ３および少なくとも１つのメモリ４を備えており、実施するように設計されているタスクにおいて使用される。このデータ処理および記憶エンティティは、適切な回路基板および／またはチップセット上に設けられる。このフィーチャは、参照番号６によって示されている。
【００３０】
図１はさらに、別の部材と接続される変調器コンポーネント９を示している。その変調機能の例をこの明細書において後述する。変調機能は、別個のコンポーネントの代わりに、データ処理エンティティ３によって提供されるように配置可能である、ということに留意されたい。
【００３１】
ユーザーは、キーパッド２のような適切なユーザーインターフェース、音声命令、タッチスクリーンまたはタッチパッド、これらの組み合わせ等を用いてモバイルデバイスの作動をコントロールすることができる。ディスプレイ５、スピーカーおよびマイクも典型的に提供される。さらに、モバイルデバイスが、他のデバイスおよび／または外部アクセサリー（例えばハンズフリー器材）を自身に接続するための適切なコネクター（有線でも無線でもよい）を含んでいてもよい。
【００３２】
以下では、１方向での伝送の確認応答の実施形態を扱い、別の方向に送信されるデータは記号レベルで多重化される。より詳細には、ダウンリンクＡＣＫ／ＮＡＣＫおよびアップリンクデータが記号レベルに時間多重化される特定の実施形態を扱う。以下の例においてダウンリンクＡＣＫ／ＮＡＣＫシグナリングは変調されて、移動局から基地局へのアップリンクデータと共に伝送される。基地局の代わりに、コミュニケーションが例えば別の移動局へ送信され、変調が基地局で行われることも可能であるということに留意されたい。
【００３３】
この方法の例示的な実施形態を次に、図２のフローチャートを参照して記載する。この実施形態においてコントロール記号は１０２で、データ記号とマルチプレックスされる。ここでこれは、ステップ１００で定められた、信号における記号位置の表示における少なくとも２つのコントロール記号の位置の間の距離の情報に基づく。多重化された記号はその後、１０４で送信される。
【００３４】
より詳細な実施形態では、１０２で、ＡＣＫ／ＮＡＣＫ記号がデータ記号とマルチプレックスされる場合には、特定のＡＣＫ／ＮＡＣＫビットマッピングルールが使用される。多重化は時間多重化をベースにしていてよい。
【００３５】
これらの記号は、信号における記号の理想的な位置を示す記号空間図にマッピングされる。信号をこのようなに表示する例は信号空間図またはシンプルに信号点配置である。信号空間図は、信号における記号位置を可視化する方法の例であり、そのベースは、伝送された記号が複素数として表される、ということである。この記号は複素数として表され、複素平面上の点として視覚化される。
【００３６】
信号空間図は、デジタル変調スキームによって変調された信号をあらわすために使用される。このデジタル変調スキームは例えば直交振幅変調（ＱＡＭ）または位相偏移変調（ＰＳＫ）である。直交（Ｑ）キャリアは、コサインおよびサイン搬送信号を複素数の実部および虚数部によって変調することによってそれぞれ提供され、記号は信号周波数上での２つのキャリアによって送出される。実軸および虚軸はしばしば位相において、またはＩ軸および直交またはＱ軸と称される。
【００３７】
この信号空間図は、信号を、記号サンプリング瞬間またはポイントでの、複素平面における二次元ダイヤグラムとして示すのに使用される。従って信号空間図は変調スキームにおける記号の位置をあらわすのに使用され、変調プロセスの直接的な可視化を可能にする。矩形１６ＱＡＭ信号空間図３０の例は図３および５において表されている。
【００３８】
伝送されるＡＣＫ／ＮＡＣＫ記号を、データ記号によって使用される同じ信号空間図にマッピングすることができる。１つの実施形態では、最も長いユークリッド距離を有する信号配置点がＡＣＫ／ＮＡＣＫ伝送のために選択される。ユークリッド距離は通常は、対象対の座標間の差の平方根として表される２つの点の間の距離として理解される。ユークリッド距離は、
【数１】
0005904709.tif 000002
として計算される。
【００３９】
ここでｋ＝［１，２．．．ｍ］、ｌ＝［１，２．．．ｍ］は、データ記号に対して使用される変調信号点配置の指数を表し、ｍはデータ記号に使用される信号点配置の数である。
【００４０】
別の可能性は、予め定められている距離閾値を使用することである。例えば、予め定められた閾値よりも長いユークリッド距離を有するあらゆる点が選択される。さらに別の実施形態では、選択ルールによって、最有力候補を提供する信号配置点、例えば２または３つの最も長いユークリッド距離を有する点、またはあらゆる他の所定数の最も長いユークリッド距離を有する信号配置点の間で選択が行われる。
【００４１】
さらなる実施形態では、信号配置点のパワーレベルも選択プロセスにおいて考慮される。例えば、最も長いユークリッド距離または十分に長いユークリッド距離と十分に高いパワーを備えた点が選択される。従って、十分に長い距離を有しているが、パワーが低すぎる点は選択されない。最適化された距離閾値とパワー閾値との最適化された組み合わせが使用可能である。幾つかのアプリケーションでは、最長距離を有するポイントではなくても、最も高いパワーレベルを有する点を選択することが望まれる。
【００４２】
図３は、信号空間図３０への１ビットＡＣＫ／ＮＡＣＫマッピングの例を示している。より詳細には、この特別な例では１６直交振幅変調（ＱＡＭ）スキームがデータ記号に対して使用される。黒点３２は、ＡＣＫ／ＮＡＣＫ伝送に対する、提案された信号配置点を示している。白点３４は、データのために残される。６４ＱＡＭ変調および２ビットＡＣＫ／ＮＡＣＫ伝送も考慮した、可能なマッピングルールのより詳細な例を以下に説明する。
【００４３】
図４に示されている表１は、ｘ＝ｌ＋ｊＱである複素値変調された記号へのＡＣＫ／ＮＡＣＫシグナリングの信号空間マッピングの１つの例である。ここでは種々異なるデータ変調スキームが使用される。より詳細には、表１に示されている例では、１ビットＡＣＫ／ＮＡＣＫ記号が、データ変調ＱＰＳＫ、１６ＱＡＭおよび６４ＱＡＭによってマッピングされている。この例の複素数値は、３ｒｄ  Ｇｅｎｅｒａｔｉｏｎ  Ｐａｒｔｎｅｒｓｈｉｐ  Ｐｒｏｊｅｃｔ（３ＧＰＰ）技術仕様ＴＳ３６．２１１「Ｐｈｙｓｉｃａｌ  Ｃｈａｎｎｅｌｓ  ａｎｄ  Ｍｏｄｕｌａｔｉｏｎ（２００７年３月１９日のバージョン１．０．０）に基づいている。
【００４４】
図５は、信号空間図３０への２ビットＡＣＫ／ＮＡＣＫマッピングの例を示している。２ビットＡＣＫ／ＮＡＣＫシグナリングは例えば、ダウンリンクにおいて、二重コード機構のＭｕｌｔｉｐｌｅ−Ｉｎｐｕｔ  Ｍｕｌｔｉｐｌｅ  Ｏｕｔｐｕｔ（ＭＩＭＯ）伝送が使用される場合に必要とされる。
【００４５】
１６ＱＡＭ変調を備えた２ビットＡＣＫ／ＮＡＣＫシグナリングの信号空間マッピングの例が表２に示されており、６４ＱＡＭに対する例は表３に示されている（図６および７をそれぞれ参照）。１６ＱＡＭ変調では、対のＡＣＫ／ＮＡＣＫシグナリングビットが複素数値変調記号に、表２に相応してマッピングされる。ここでは、ｘ＝ｌ＋ｊＱである。６４ＱＡＭ変調では、ビットの対が、表３に相応して複素数値変調記号にマッピングされる。ここでは、ｘ＝ｌ＋ｊＱである。
【００４６】
変調および／または関連する判断形成に対する要求されるデータ処理機能は、１つまたは複数のデータプロセッサによって提供される。データ処理は、処理ユニットまたは局のモジュール内に設けられる。これは例えばユーザーデバイスまたは基地局である。上述の機能が別個のプロセッサまたは組み込まれたプロセッサによって行われてもよい。適切に適合された１つまたは複数のコンピュータプログラムコード製品が、適切なプロセッサ、例えば基地局コントローラのプロセッサ内またはユーザーデバイスのコントローラ内にロードされている場合には、この実施形態を実行するために使用される。このプログラムコード手段は、例えば、種々のエンティティ間でシグナリングされる情報の生成および／解釈を実行し、種々の動作をコントロールする。動作を提供するためのプログラムコード製品は、キャリアディスク、カードまたはテープ等の搬送媒体の手段上に格納され、これによって提供される。データネットワークを介してモバイルデバイスにプログラムコード製品をダウンロードすることが可能である。
【００４７】
上述した、マッピングＡＣＫ／ＮＡＣＫ記号、または他のコントロールシグナリング記号を信号空間図内のデータ記号にマッピングする例の利点は、最適化された性能が得られるということである。なぜなら、コントロール記号信号が提供され、相互間に最大のユークリッド距離または事前に定められたユークリッド距離を有するからである。これによって、エラーのリスクが低減される。コントロールシグナリングの質が改善される。変調におけるコントロールおよびペイロードデータに対する同じ信号空間図からの信号配置点の使用が可能にされる。最大パワーまたは十分に大きいパワーが、シグナリングコントロール記号のために使用される場合、ピーク・トゥ・アベレージ・レシオ（ＰＡＲ）に対する重大な作用無しに、最大の信号雑音比（ＳＮＲ）が得られる。
【００４８】
実施形態を、ユーザーデバイス（例えば移動局および基地局等のネットワークデバイス）における変調に関して記述したが、本発明の実施形態は、変調が必要とされる、データコミュニケーションのためのあらゆる他のタイプの装置に使用可能であることに留意されたい。同様の原理があらゆるコミュニケーション技術に使用される。ここでは、コントロールおよびデータ記号の変調が使用される。
【００４９】
特定の実施形態がこれまで例として、ワイヤレスネットワーク、技術および規格に対する特定の例示的な構造を参照して説明したが、ここで図示され、記載されたもの以外のコミュニケーションシステムのあらゆる適切な形態に実施形態が使用可能である。用語「アクセスシステム」が、ユーザアクセスアプリケーションに対する無線コミュニケーションを可能にするあらゆるアクセスシステムに言及するものであることも理解されたい。
【００５０】
ここで次のことにも留意されたい。すなわち、これまで本発明の例示的な実施例を記載したが、本発明の範囲から逸脱することなく、開示されたソリューションに対して幾つかの変形および修正が行われるということにも留意されたい。
【図１】
0005904709.tif 000003
【図２】
0005904709.tif 000004
【図３】
0005904709.tif 000005
【図４】
0005904709.tif 000006
【図５】
0005904709.tif 000007
【図６】
0005904709.tif 000008
【図７】
0005904709.tif 000009